(57)【特許請求の範囲】
【請求項１】
マルチメディアデータ通信を行なうための送信端末装置および受信端末装置を備えたマルチメディア通信制御装置において、
前記送信端末装置は、
複数メディアのデータを蓄積する蓄積手段と、
該蓄積手段に蓄積されている前記データを送信するデータ送信手段と、
前記蓄積手段に蓄積されている送信予定のデータ量を検出するデータ量検出手段と、
該検出されるデータ量と前記受信端末装置の空き容量とを比較する比較手段と、
該比較手段によって前記データ量が前記空き容量を越えていると判別されるとき、前記データ送信手段によって前記データを送信する前に、当該送信端末装置の前記蓄積手段に蓄積されているデータにアクセスするためのアクセス情報を送信する情報送信手段とを備え、
前記受信端末装置は、
受信したデータを蓄積する受信データ蓄積手段と、
前記アクセス情報を受信する情報受信手段と、
該受信したアクセス情報に対応するデータを前記送信端末装置から受信するデータ受信手段と、
前記空き容量として、前記受信データ蓄積手段の空き容量を検出する空き容量検出手段とを備えたことを特徴とするマルチメディア通信制御装置。
【請求項２】
前記蓄積手段に蓄積されるデータを入力する入力手段を備えたことを特徴とする請求項１記載のマルチメディア通信制御装置。
【請求項３】
前記情報送信手段は、前記蓄積手段に蓄積されている複数メディアのデータのうち動画像を含むデータを送信すると判別された際にアクセス情報を送信することを特徴とする請求項１記載のマルチメディア通信制御装置。
【請求項４】
マルチメディアデータ通信を行なうための送信端末装置および受信端末装置を備えたマルチメディア通信制御装置において、
前記送信端末装置は、
複数メディアのデータを蓄積する蓄積手段と、
該蓄積手段に蓄積されている前記データを送信するデータ送信手段と、
該データ送信手段によって前記データを送信する前に、当該送信端末装置の前記蓄積手段に蓄積されているデータにアクセスするためのアクセス情報を送信する情報送信手段とを備えたことを特徴とするマルチメディア通信制御装置。
【請求項５】
マルチメディアデータ通信を行なうための送信端末装置および受信端末装置を備えたマルチメディア通信制御装置において、
前記受信端末装置は、
データを蓄積する受信データ蓄積手段と、
アクセス情報を受信する情報受信手段と、
該受信されたアクセス情報に対応するデータを送信端末装置から受信するデータ受信手段とを備えたことを特徴とするマルチメディア通信制御装置。
【請求項６】
動画像情報を含むマルチメディアデータを、受信端末へ送信する送信手段と、
送信すべき前記マルチメディアデータを蓄積する蓄積手段と、
前記受信端末のメモリの空き容量が、送信すべき前記マルチメディアデータを蓄積することが出来るか否かを認識する認識手段と、
前記認識手段によって、前記受信端末が、前記メモリに前記マルチメディアデータを蓄積することが出来ないと認識した場合に、前記蓄積手段に蓄積されている前記マルチメディアデータにアクセスするためのアクセス情報を、前記受信端末へ送信するように制御する制御手段とを有することを特徴とするマルチメディア通信装置。
【請求項７】
送信端末から、動画像情報を含むマルチメディアデータ又は前記送信端末に蓄積されている前記マルチメディアデータにアクセスするためのアクセス情報を、受信する受信手段と、
前記受信手段で受信した受信情報を記憶するメモリと、
前記受信情報が、アクセス情報である場合に、前記アクセス情報に従って前記送信端末に蓄積されている前記マルチメディアデータにアクセスする制御手段とを有することを特徴とするマルチメディア通信装置。
【請求項８】
データを受信端末へ送信する送信手段と、
前記受信端末のメモリの空き容量が、送信すべき前記データを蓄積することが出来るか否かを認識する認識手段と、
前記認識手段によって、前記制御手段は、前記受信端末の前記メモリに前記データを蓄積することが出来る場合には、前記データを送信し、前記メモリに前記データを蓄積することが出来ないと認識した場合には、前記受信端末が前記データにアクセスするためのアクセス情報を、前記受信端末へ送信するように制御する制御手段とを有することを特徴とする通信装置。
【発明の詳細な説明】
【０００１】
【産業上の利用分野】
本発明はマルチメディア通信制御装置、マルチメディア通信装置および通信装置に関する。
【０００２】
【従来の技術】
近年の著しい通信技術の発展により、テキスト、音声、グラフィックス、アニメーション、動画像などのマルチメディアが通信データとして扱われるようになり、通信データの容量は飛躍的に増加している。
【０００３】
従来の通信制御装置では、留守番電話やファクシミリ装置のメモリ代行受信のように、受信されたデータは蓄積メディアに一旦蓄積され、使用者が必要に応じて蓄積メディアからデータを取り出すといった操作を行なうようにされている。このようなデータ通信の方法は電子メール、ビデオメールにおいても蓄積メディアに一旦蓄積されることを前提として盛んに行なわれている。
【０００４】
【発明が解決しようとする課題】
しかしながら、通信データの容量を増加させる原因となるマルチメディア化が進むにつれ、蓄積メディアに一旦蓄積することを前提としてデータ通信を行なう通信制御装置において、送信端末装置が送信するデータの容量が受信端末装置の蓄積メディアの空き容量を越えてデータを受信できなくなることがしばしば発生していた。また、蓄積メディアの空き容量を増加させるためにハードディスクを増設することにより部品点数およびコストの増加を招いていた。
【０００５】
そこで、本発明は受信端末装置の蓄積メディアの空き容量が少ない場合であっても、蓄積メディアに通信データを蓄積することを前提としてデータ通信の行なえるマルチメディア通信制御装置、マルチメディア通信装置および通信装置を提供することを目的とする。
【０００６】
【課題を解決するための手段】
上記目的を達成するために、本発明の請求項１に係るマルチメディア通信制御装置は、マルチメディアデータ通信を行なうための送信端末装置および受信端末装置を備えたマルチメディア通信制御装置において、前記送信端末装置は、複数メディアのデータを蓄積する蓄積手段と、該蓄積手段に蓄積されている前記データを送信するデータ送信手段と、前記蓄積手段に蓄積されている送信予定のデータ量を検出するデータ量検出手段と、該検出されるデータ量と前記受信端末装置の空き容量とを比較する比較手段と、該比較手段によって前記データ量が前記空き容量を越えていると判別されるとき、前記データ送信手段によって前記データを送信する前に、当該送信端末装置の前記蓄積手段に蓄積されているデータにアクセスするためのアクセス情報を送信する情報送信手段とを備え、前記受信端末装置は、受信したデータを蓄積する受信データ蓄積手段と、前記アクセス情報を受信する情報受信手段と、該受信したアクセス情報に対応するデータを前記送信端末装置から受信するデータ受信手段と、前記空き容量として、前記受信データ蓄積手段の空き容量を検出する空き容量検出手段とを備える。
【０００８】
請求項２に係るマルチメディア通信制御装置は、さらに前記蓄積手段に蓄積されるデータを入力する入力手段を備える。
【０００９】
請求項３に係るマルチメディア通信制御装置は、前記情報送信手段が前記蓄積手段に蓄積されている複数メディアのデータのうち動画像を含むデータを送信すると判別された際にアクセス情報を送信するようにされている。
【００１０】
請求項４に係るマルチメディア通信制御装置は、マルチメディアデータ通信を行なうための送信端末装置および受信端末装置を備えたマルチメディア通信制御装置において、前記送信端末装置は、複数メディアのデータを蓄積する蓄積手段と、該蓄積手段に蓄積されている前記データを送信するデータ送信手段と、該データ送信手段によって前記データを送信する前に、当該送信端末装置の前記蓄積手段に蓄積されているデータにアクセスするためのアクセス情報を送信する情報送信手段とを備える。
【００１１】
請求項５に係るマルチメディア通信制御装置は、マルチメディアデータ通信を行なうための送信端末装置および受信端末装置を備えたマルチメディア通信制御装置において、前記受信端末装置は、データを蓄積する受信データ蓄積手段と、アクセス情報を受信する情報受信手段と、該受信されたアクセス情報に対応するデータを送信端末装置から受信するデータ受信手段とを備える。
請求項６に係るマルチメディア通信装置は、動画像情報を含むマルチメディアデータを、受信端末へ送信する送信手段と、送信すべき前記マルチメディアデータを蓄積する蓄積手段と、前記受信端末のメモリの空き容量が、送信すべき前記マルチメディアデータを蓄積することが出来るか否かを認識する認識手段と、前記認識手段によって、前記受信端末が、前記メモリに前記マルチメディアデータを蓄積することが出来ないと認識した場合に、前記蓄積手段に蓄積されている前記マルチメディアデータにアクセスするためのアクセス情報を、前記受信端末へ送信するように制御する制御手段とを有する。
請求項７に係るマルチメディア通信装置は、送信端末から、動画像情報を含むマルチメディアデータ又は前記送信端末に蓄積されている前記マルチメディアデータにアクセスするためのアクセス情報を、受信する受信手段と、前記受信手段で受信した受信情報を記憶するメモリと、前記受信情報が、アクセス情報である場合に、前記アクセス情報に従って前記送信端末に蓄積されている前記マルチメディアデータにアクセスする制御手段とを有する。
請求項８に係る通信装置は、データを受信端末へ送信する送信手段と、前記受信端末のメモリの空き容量が、送信すべき前記データを蓄積することが出来るか否かを認識する認識手段と、前記認識手段によって、前記制御手段は、前記受信端末の前記メモリに前記データを蓄積することが出来る場合には、前記データを送信し、前記メモリに前記データを蓄積することが出来ないと認識した場合には、前記受信端末が前記データにアクセスするためのアクセス情報を、前記受信端末へ送信するように制御する制御手段とを有する。
【００１２】
【作用】
本発明の請求項１に係るマルチメディア通信制御装置は、送信端末装置および受信端末装置を用いてデータ通信を行なう際に、前記送信端末装置に設けられた蓄積手段により複数メディアのデータを蓄積し、データ量検出手段により前記蓄積手段に蓄積されている送信予定のデータ量を検出し、比較手段により該検出されるデータ量と前記受信端末装置の空き容量とを比較し、該比較手段によって前記データ量が前記空き容量を越えていると判別されるとき、情報送信手段により前記データ送信手段によって前記データを送信する前に、当該送信端末装置の前記蓄積手段に蓄積されているデータにアクセスするためのアクセス情報を送信する一方、前記受信端末装置に設けられた受信データ蓄積手段により受信したデータを蓄積し、情報受信手段により前記アクセス情報を受信し、データ受信手段により該受信したアクセス情報に対応するデータを前記送信端末装置から受信し、前記空き容量として、空き容量検出手段により前記受信データ蓄積手段の空き容量を検出する。
【００１４】
請求項２に係るマルチメディア通信制御装置はさらに前記蓄積手段に蓄積されるデータを入力手段により入力する。
【００１５】
請求項３に係るマルチメディア通信制御装置は、前記情報送信手段が前記蓄積手段に蓄積されている複数メディアのデータのうち動画像を含むデータを送信すると判別された際にアクセス情報を送信する。
【００１６】
【実施例】
以下、本発明の一実施例に係るマルチメディア通信制御装置、マルチメディア通信装置および通信装置を図面にしたがって説明する。
【００１７】
図１はＩＳＤＮ（総合ディジタル通信網）に接続された通信端末装置の構成を示すブロック図である。本実施例のマルチメディア通信制御装置はマルチメディア通信に使用されるものであり、その送信端末装置および受信端末装置はそれぞれ音声インタフェース部４、音声符号化複合化部５、ビデオインタフェース部９、ビデオ符号化複合化部１０、データインタフェース部１２、データ蓄積部１５、多重化分離部１６、回線インタフェース部１７およびこれらの各部の制御を司るシステム制御部１４を備えて構成される。
【００１８】
音声インタフェース部４には、音声の入出力手段としてハンドセット１、マイクロホン２およびスピーカ３が接続されている。音声インタフェース部４は、システム制御部１４からの制御信号によってハンドセット１、マイクロホン２およびスピーカ３を切り換える切換処理、ハンドセット１がオンフック状態かオフフック状態かを検出するオン／オフフック検出処理、マイクロホン２とスピーカ３を同時に使用している時にエコーを消去するエコーキャンセル処理、およびダイヤルトーン、呼び出し音、ビジートーン、着信音等の生成処理を行なう機能を有する。音声符号化複合化部５はシステム制御部１４からの制御信号によって６４ｋｂｐｓＰＣＭ  Ａ−ｌａｗ、６４ｋｂｐｓＰＣＭ  μ−ｌａｗ、６４ｋｂｐｓＰＣＭ／５６ｋｂｐｓ／４８ｋｂｐｓ  ＳＢ−ＡＤＰＣＭ、３２ｋｂｐｓ  ＡＤＰＣＭ、１６ｋｂｐｓ（例えばＡＰＣ−ＡＢ），８ｋｂｐｓ等の音声信号の符号化および複合化アルゴリズムに従って、送信音声信号を符号化し、受信音声信号を複合化する。
【００１９】
また、ビデオインターフェース部９には、画像の入力手段として自画像等を入力するカメラ６、絵や図面等を入力する書画カメラ７、およびカメラ６、書画カメラ７からの入力画像や通信相手からの受信画像や操作画像などを表示する表示部８が接続されている。ビデオインターフェース部９は、システム制御部１４からの制御信号によってカメラ６、書画カメラ７を切り換える切換処理、入力画像、受信画像あるいは操作画像の表示を切り換える表示切換処理、およびこれらの画像を表示部８の画面上で分割表示する画像信号合成処理を行なう機能を有する。ビデオ符号化複合化部１０はＩＴＵ−ＴＳ勧告Ｈ．２６１に従って送信画像を符号化し、受信画像を複合化する。
【００２０】
さらに、データインターフェース部１２にはコードデータ等のデータ通信を行なうデータ端末装置１１が接続されている。データインターフェース部１２はデータ端末装置１１やシステム制御部１４からの送信データをデータ蓄積部１５を介して多重化分離部１６に送出し、多重化分離部１６からの受信データをデータ端末装置１１やシステム制御部１４に送出する。
【００２１】
また、システム制御部１４に接続された操作部１３は、制御全般に用いられる制御情報の入力手段として使用され、例えばキーボードやタッチパネルにより構成される。
【００２２】
システム制御部１４は中央演算処理装置（ＣＰＵ）や補助記憶装置（ＲＡＭ）などを備え、上記各部の状態を監視して装置全体の制御を行なったり、各部の状態に応じた操作の表示画面の作成やアプリケーションプログラムの実行を行なう。また、送信時には相手側の受信端末装置のメモリ残量を検出したり、ポーリング情報やアクセス情報を送出する制御を行ない、受信時にはポーリング情報、アクセス情報によるデータのアクセス制御を行なう。
【００２３】
データ蓄積部１５はシステム制御部１４からの制御信号にしたがって、音声符号化複合化部５からの音声データ、ビデオ符号化複合化部１０からのビデオデータ、データインタフェース部１２からのコードデータ、システム制御部１４からの入力データ、および回線インタフェース部１７を介して多重化分離部１６から出力される受信データが蓄積される。
【００２４】
多重化分離部１６はＩＴＵ−ＴＳ勧告Ｈ．２２１に従って、音声符号化複合化部５からの送信音声符号、ビデオ符号化複合化部１０からの送信画像符号、データインタフェース部１２からのデータ、システム制御部１４からの制御コマンドデータ蓄積部１５の蓄積データをＢＡＳ（基本アクティビティサブセット）に変換して送信フレーム単位で多重化し、また受信フレームを前記構成要素に分離し、それぞれ音声符号化複合化部５、ビデオ符号化複合化部１０、データインタフェース部１２、システム制御部１４およびデータ蓄積部１５に送出する。
【００２５】
回線インターフェース部１７はシステム制御部１４との間でコマンドを授受し、ＩＳＤＮユーザ・網インタフェースに従ってＩＳＤＮ回線を制御する。
【００２６】
つぎに、本実施例のマルチメディア通信制御装置の通信手順について説明する。図２はマルチメディア通信制御装置の通信手順を示すシーケンス図である。この通信手順は送信端末装置Ｘのデータ蓄積部１５に蓄積されたデータを受信端末装置Ｙに送信する場合を示している。送信端末装置Ｘは、まずＩＳＤＮ網・ユーザインタフェースのＤチャンネルを介して呼設定手順Ｐ２００を実行し、つぎに設定されたＢチャンネルを介してＩＴＵ−ＴＳ勧告Ｈ．２２１に従ってフレーム同期化手順Ｐ２０１を行なう。このフレーム同期が確立すると、ＩＴＵ−ＴＳ勧告Ｈ．２４２に従ってＢＡＳ（基本アクティビティサブセット）コードにより端末装置Ｘ、Ｙ間で能力交換手順Ｐ２０２を行なう。この能力交換手順Ｐ２０２では、あらかじめ設定されている自端末の転送レートと、音声やデータ等の端末能力を相手に送信し、相手側から受信した相手端末能力とともに、ＩＴＵ−ＴＳ勧告Ｈ．３２０に従って、適合する能力の範囲をその通信における通信可能な能力として記憶する。
【００２７】
そして、この能力交換後、通信可能な範囲内で実際に通信を行なう通信モードを指定するためにＩＴＵ−ＴＳ勧告Ｈ．２４２に従ってＢＡＳ（基本アクティビティサブセット）コードによりモード切り換え手順Ｐ２０３を行なう。このモード切り換え手順Ｐ２０３では、端末装置は予め設定されている自端末の転送レート、音声符号化およびデータ速度等の通信モードを通信可能な能力の範囲で調整した自端末の通信モードを相手側の端末装置に送信する。このとき、相手側の端末装置も同様に相手端末の通信モードを送信するので、相手側の通信モードを記憶する。このモード切り換え手順Ｐ２０３により低速のデータ転送を開始する。この低速のデータ転送により、送信端末装置Ｘから受信端末装置Ｙのデータ蓄積部１５の空き容量を知るためにデータ蓄積部残量要求Ｐ２０４を送信する。この要求Ｐ２０４に対し、受信端末装置Ｙはシステム制御部１４によって自端末のデータ蓄積部１５の空き容量を検出し、データ蓄積部空き容量表示Ｐ２０５を送信端末装置Ｘに送信する。この表示Ｐ２０５を受けた送信端末装置Ｘは自端末のデータ蓄積部１５に蓄積された送信データのデータ容量と受信端末装置Ｙから受信したデータ蓄積部空き容量表示Ｐ２０５によるデータ蓄積部１５の空き容量を比較し、送信データのデータ容量が空き容量を越えると判断した場合には、データ蓄積部１５に蓄積された送信データの代わりに、送信端末装置Ｘに対するポーリング情報および送信端末装置Ｘのデータ蓄積部１５に蓄積されたマルチメディアのデータに関するアクセス情報Ｐ２０６を送信する。
【００２８】
図３は受信端末装置Ｙが送信端末装置Ｘにポーリングを行なってデータにアクセスする通信手順を示すシーケンス図である。始めに、受信端末装置Ｙはデータ蓄積部１５に蓄積されたデータを解析し、送信端末装置Ｘから送信されたデータがポーリング情報およびアクセス情報であることを確認する。このポーリング情報に基づいて、受信端末装置Ｙから送信端末装置Ｘに発呼が行なわれ、ＩＳＤＮユーザ・網インタフェースのＤチャンネルを介して呼設定手順Ｐ３００を実行する。この後、図２と同様の手順であるＨ２２１フレーム同期手順Ｐ３０１、Ｈ．２４２能力交換手順Ｐ３０２、Ｈ２４２モード切り換え手順Ｐ３０３を実行して低速のデータ転送を開始する。
【００２９】
つぎに、低速のデータ転送により、受信端末装置Ｙは送信端末装置Ｘにデータ送信要求Ｐ３０４を送信する。データ送信要求Ｐ３０４では、受信端末装置Ｙはアクセス情報により指定されたデータについてポーリングを要求する。送信端末装置Ｘは送信すべきデータのモードを指定する受信モード設定要求Ｐ３０５を送信し、受信端末装置Ｙが受信モード設定要求Ｐ３０５により指定されたモードで受信可能であるならば送信端末装置Ｘに対してデータ受信可能表示Ｐ３０６を送信する。この手順を終了すると、送信端末装置Ｘはデータ送信要求Ｐ３０４により指定されたデータを受信端末装置Ｙに送信する。
【００３０】
図４は送信端末装置の送信動作を示すフローチャートである。送信端末装置は、まずハンドセット１、マイクロホン２、カメラ４、書画カメラ５、データ端末装置１１、操作部１３などからの送信データを一旦データ蓄積部１５に蓄積する（ステップＳ４００）。システム制御部１４はデータ蓄積部１５に蓄積された送信データのデータ空き容量を検出し（ステップＳ４０１）、前述の図２に示した通信手順である呼設定手順Ｐ２００、Ｈ．２２１フレーム同期手順Ｐ２０１、Ｈ．２４２能力交換手順Ｐ２０２、Ｈ．２４２モード切り換え手順Ｐ２０３を介して低速のデータパスの設定を行なう（ステップＳ４０２）。送信端末装置は受信端末装置のデータ蓄積部１５の空き容量を検出するために、低速のデータ転送によりデータ蓄積部残量要求Ｐ２０４を送出する（ステップＳ４０３）。データ蓄積部残量要求Ｐ２０４の応答として、受信端末装置から送信されたデータ蓄積部残量表示Ｐ２０５を受信する。送信端末装置はデータ蓄積部１５に蓄積された送信予定のデータ量とデータ蓄積部残量表示Ｐ２０５を受信することにより検出された受信端末装置のデータ蓄積部１５の空き容量を比較し（ステップＳ４０５）、受信端末装置のデータ蓄積部１５の空き容量が送信データのデータ量を越えるか否かを判別する（ステップＳ４０６）。受信端末装置のデータ蓄積部１５の空き容量が送信データのデータ量を越えるときには、通常通りにデータ蓄積部１５に蓄積されている送信データを受信端末装置に送信する（ステップＳ４０７）。また、送信データ量が受信端末装置のデータ蓄積部１５の空き容量を越えるときには自端末に対するポーリング情報とデータ蓄積部１５に蓄積された送信データに対するアクセス情報のみを受信端末装置に送信する（ステップＳ４０８）。
【００３１】
図５は受信端末装置が送信端末装置にデータをアクセスする動作を示すフローチャートである。受信端末装置は送信端末装置から送信され、回線インタフェース部１７、多重化分離部１６を介してデータ蓄積部１５に蓄積されたデータの解析を行なう（ステップＳ５００）。解析の結果、蓄積されたデータがポーリング情報およびアクセス情報であるか通常のデータであるかを判別を行なう（ステップＳ５０１）。通常のデータである場合には通常通りのデータアクセスを行ない（ステップＳ５０２）、ポーリング情報およびアクセス情報の場合にはステップＳ５０３以降の処理を行なう。
【００３２】
ステップＳ５０３では、受信端末装置はデータ蓄積部１５に蓄積されたポーリング情報によって指示された送信端末装置に発呼を行ない、図３に示した呼設定手順Ｐ３００を実行する。つぎに、Ｈ．２２１フレーム同期手順Ｐ３０１、Ｈ．２４２能力交換手順Ｐ３０２、Ｈ．２４２モード切り換え手順Ｐ３０３を行なって低速のデータパスを設定する。低速のデータ転送にしたがって、データ蓄積部１５に蓄積されたアクセス情報に指定されたデータのポーリングをデータ送信要求Ｐ３０４によって送信端末装置に要求する（ステップＳ５０５）。このデータ送信要求Ｐ３０４に応じて送信端末装置から受信モード設定要求Ｐが通知されると、受信端末装置は伝送モードを設定し、データの受信を開始する（ステップＳ５０７）。
【００３３】
以上示したように、本実施例のマルチメディア通信制御装置によれば、送信データのデータ量が受信端末装置のデータ蓄積部１５の空き容量を越える場合であっても、送信データを送信端末装置のデータ蓄積部１５に蓄積し、受信端末装置に対してポーリング情報およびアクセス情報のみを送信することで対処できる。つまり、受信端末装置はデータにアクセスしたいときにポーリング情報により指定された送信端末装置に発呼を行ない、アクセス情報により指定されたデータのポーリングを行なうことで、受信端末装置のデータ蓄積部１５にデータを蓄積することなくデータのアクセスが可能となる。
【００３４】
本発明においては、これらポーリング情報とアクセス情報とをまとめてアクセス情報と呼ぶ。
【００３５】
尚、データ蓄積部としては、磁気ディスク、光磁気ディスク、半導体メモリ、バブルメモリなど種々のものを適用できる。本実施例のマルチメディア通信制御装置では、ＩＳＤＮ（総合ディジタル通信網）に接続されたマルチメディア用通信端末装置を示したが、本実施例に限らずＧ４／Ｇ３ファクシミリのメモリ受信、電話における留守録、ＬＡＮ（ローカルエリアネットネットワーク）における電子メールなどに適用することもできる。また、アクセス情報により指定されたデータのポーリングを行なうことで、転送されるデータを受信端末装置のデータ蓄積部１５の空き容量の範囲内で一旦蓄積してからデータにアクセスするようにしてもよい。
【００３６】
マルチメディア用通信端末として、動画像データを含むデータを送信する場合に、図４、図５に示すフローチャートの手順を実行するようにし、動画像データを含まない場合には、かかる図４、図５に示すフローチャートの手順を実行しないようにしてもよい。
【００３７】
【発明の効果】
本発明の請求項１に係るマルチメディア通信装置によれば、受信端末装置のデータ蓄積手段の空き容量が少ない場合にのみアクセス情報の通知が可能となり、データ転送が効果的に行える。
【００３９】
請求項２に係るマルチメディア通信制御装置は、さらに前記蓄積手段に蓄積されるデータを入力手段により入力するので、送信端末装置は入力手段を介して入力されたデータの転送も効率的に行なうことができる。
【００４０】
請求項３に係るマルチメディア通信制御装置は、情報送信手段は、特に蓄積されるデータ量が多い動画像を含むデータを送信する際にアクセス情報を送信するので、本発明の上述した効果をより一層高めることができる。
【００４１】
本発明の請求項４に係るマルチメディア通信制御装置によれば、送信端末装置および受信端末装置を用いてデータ通信を行なう際に、前記送信端末装置に設けられた蓄積手段によりデータを蓄積し、データ送信手段により該蓄積手段に蓄積されている前記データを送信する前に、当該送信端末装置の前記蓄積手段に蓄積されているデータにアクセスするためのアクセス情報を情報送信手段により送信するので、受信端末装置の受信データ蓄積手段の空き容量と無関係に、しかもデータを蓄積することなく送信端末装置の蓄積手段に蓄積されたデータをアクセスすることができる。
【００４２】
本発明の請求項５に係るマルチメディア通信制御装置によれば、送信端末装置および受信端末装置を用いてデータ通信を行なう際に、前記受信端末装置に設けられた受信データ蓄積手段によりデータを蓄積し、情報受信手段によりアクセス情報を受信し、該受信されたアクセス情報に対応するデータを送信端末装置からデータ受信手段により受信するので、受信端末装置の受信データ蓄積手段の空き容量と無関係に、しかもデータを蓄積することなく送信端末装置の蓄積手段に蓄積されたデータをアクセスすることができる。
請求項８に係る通信装置によれば、受信端末が受信データを格納できない場合には、受信端末が送信端末にアクセスして受信可能に構成することで、データを蓄積することなくデータのアクセスが可能となる。
【図面の簡単な説明】
【図１】ＩＳＤＮ（総合ディジタル通信網）に接続された本発明の一実施例に係るマルチメディア通信制御装置の通信端末装置の構成を示すブロック図である。
【図２】本実施例のマルチメディア通信制御装置の通信手順を示すシーケンス図である。
【図３】受信端末装置Ｙが送信端末装置Ｘにポーリングを行なってデータにアクセスする通信手順を示すシーケンス図である。
【図４】送信端末装置の送信動作を示すフローチャートである。
【図５】受信端末装置が送信端末装置にデータをアクセスする動作を示すフローチャートである。
【符号の説明】
１  …  ハンドセット
２  …  マイクロホン
３  …  スピーカ
４  …  音声インタフェース部
５  …  音声符号化複合化部
６  …  カメラ
７  …  書画カメラ
８  …  表示部
９  …  ビデオインタフェース部
１０  …  ビデオ符号化複合化部
１１  …  データ端末装置
１２  …  データインタフェース部
１３  …  操作部
１４  …  システム制御部
１５  …  データ蓄積部
１６  …  多重化分離部
１７  …  回線インタフェース部
【図１】
0003543990.tif 000002
【図２】
0003543990.tif 000003
【図３】
0003543990.tif 000004
【図４】
0003543990.tif 000005
【図５】
0003543990.tif 000006